(57)【要約】【課題】  鉄道模型に求められる再現性とともに、独自の付加価値を付することで、より鉄道模型の商品訴求力を高めることを目的とする。【解決手段】  冷蔵冷凍用発電装置を具備し、軌道上を走行する台車に搭載される鉄道輸送用コンテナの模型であって、前記冷蔵冷凍用発電装置の搭載位置に相当する両側壁に透光用孔２，２がそれぞれ形成され、かつ内面に遮光性が付与されたプラスチック製のコンテナ主体１と、前記透光用孔２，２に近接して配置可能な一対のＬＥＤ発光体７，７と、このＬＥＤ発光体７，７に電流を供給するバッテリ８，８と、このバッテリ８，８を制御するスイッチ９から構成され、前記コンテナ主体内に装着される発光機構５とで鉄道模型用コンテナを構成する。【選択図】      図３
2012045269.tif 000002
【特許請求の範囲】
【請求項１】
冷蔵冷凍用発電装置を具備し、軌道上を走行する台車に搭載される鉄道輸送用コンテナの模型であって、
前記冷蔵冷凍用発電装置の搭載位置に相当する両側壁に透光用孔がそれぞれ形成され、かつ内面に遮光性が付与されたプラスチック製のコンテナ主体と、
前記透光用孔に近接して配置可能な一対のＬＥＤ発光体と、このＬＥＤ発光体に電流を供給するバッテリと、このバッテリを制御するスイッチから構成され、前記コンテナ主体内に装着される発光機構とからなること
を特徴とする鉄道模型用コンテナ。
【請求項２】
前記コンテナ主体は、
下部が開口したものであって、この開口部から前記発光機構を着脱可能としたこと
を特徴とする請求項１に記載の鉄道模型用コンテナ。
【請求項３】
前記コンテナ主体は、
前記透光用孔以外の内面全体が、遮光用塗料もしくは遮光材によって覆われていること
を特徴とする請求項１又は２に記載の鉄道模型用コンテナ。
【請求項４】
前記発光機構は、
前記透光用孔に近接して配置される一対のＬＥＤ発光体と、このＬＥＤ発光体に電流を供給するバッテリおよびバッテリを制御するスイッチが、一つのケース内に収納され、ユニット化されていること
を特徴とする請求項１に記載の鉄道模型用コンテナ。
【請求項５】
前記ケースは、
ケース本体と、このケース本体に開閉自在に装着される蓋体とで構成され、
前記ケース本体は、その前面に装着されたプリント基板の左右両側面に、前記コンテナ主体に形成された透光用孔と相対するＬＥＤ発光体がそれぞれ配置され、内部にバッテリを着脱自在に収納したもので、
前記蓋体は、その一部に蓋体を開閉し、かつ前記ケースをコンテナ外に取り出すための係合片が付設されるとともに、前記ケース本体に装置されたスイッチを外部に顕出させるための切欠き部が形成されていること
を特徴とする請求項４に記載の鉄道模型用コンテナ。
【請求項６】
前記ケース本体は、
その背面側に、前記コンテナ主体内に平行配置された一対のコ字状のガイド溝とそれぞれ係合する一対のガイド片が付設されていること
を特徴とする請求項５に記載の鉄道模型用コンテナ。
【発明の詳細な説明】
【技術分野】
【０００１】
この発明は、コンテナに配備した発電装置でコンテナ内に搭載された積み荷を、冷蔵又は冷凍状態で輸送する鉄道輸送用コンテナを模して成型された鉄道模型用コンテナに関するもので、鉄道模型技術に関するものである。
【背景技術】
【０００２】
レール上を走行する台車に搭載されるコンテナ内に、生鮮食品などの積み荷を冷蔵又は冷凍状態で輸送する鉄道輸送用コンテナには、コンテナ外に設けられた外部電源から給電を受ける集中式タイプと、コンテナに装置された電源から直接給電する分散式タイプのコンテナが知られている。
【０００３】
なかでも、前記分散式のコンテナは、コンテナの一部（多くの場合コンテナの前部の切妻側）にディーゼルエンジン発電機が搭載され、発電された電力によって冷凍機を駆動するもので、すでに鉄道模型においても、外形が同一のモデルの鉄道模型用コンテナが販売されている。
【０００４】
かかる鉄道模型において、たとえば、特開２００４−０５７４９３号公報（特許文献１）においては、ライトを取り付ける部分にライト取付孔を設け、このライト取付孔を内側から着脱可能な閉塞部材で閉塞することによって、外側からライト取付孔を介して内部が見えないようにした走行模型玩具が提案されて、ライトを発光ダイオードとすることも開示されている。
【０００５】
また、特開２００８−１７３３０３号公報（特許文献２）においては、前照灯付模型における点灯性を維持しつつ、消灯時の色味に実物同様のリアリティを持たせる鉄道用模型が提案されているなど、室内灯や前照灯を点灯するよう構成された鉄道模型は広く知られている。
【０００６】
前記特許文献２で開示されている鉄道模型は、前照灯付模型において、前照灯に相当する部位に貫通孔が形成された模型本体と、模型本体内に設けられ発光状態を制御可能な発光体と、一部が貫通孔に挿入されているとともに、発光体から出射された光を自己の形状に応じて導き、貫通孔より露出した先端面から外部に向かって光を放射する導光機構と、前記先端面よりも内側の前記導光機構中であって、かつ、前記先端面から見通すことができる位置に介在し、光の一部を透過する半透過性を有する反射型の金属蒸着膜とを有するものである。
【０００７】
さらに、登録実用新案第３１５０３９４号公報（特許文献３）では、ＬＥＤを使用した点灯式の道路信号機の模型が提案されている。
【先行技術文献】
【特許文献】
【０００８】
【特許文献１】特開２００４−０５７４９３号公報（特許請求の範囲）
【特許文献２】特開２００８−１７３３０３号公報（特許請求の範囲，図１〜図３）
【特許文献３】登録実用新案第３１５０３９４号公報（実用新案登録請求の範囲）
【発明の概要】
【発明が解決しようとする課題】
【０００９】
一般的に鉄道模型は、実際の鉄道車両をモデルとし、使用するレールの幅に応じてNゲージやＨＯゲージ、さらにはＯゲージの規格に合わせて縮尺して成型されている。
したがって、購入者は、自己の所有するレールに適合する鉄道模型を購入するに際しては、当該鉄道模型が如何に実物を忠実に再現しているか、その再現性が購入の大きなファクターとなっている。
【００１０】
その際、当然のことながら、特許文献１で開示されているように、外側からライト取付孔を介して内部が見えないようにする工夫や点灯性を維持しつつ、消灯時の色味に実物同様のリアリティを持たせることで、商品訴求力を高めることが行われている。
【００１１】
しかしながら、再現性の精緻さが求められる鉄道模型では、鉄道車両やコンテナと相似させることに主眼が置かれるため、実物にない装置等を付加する思想はなく、当該鉄道模型に付加価値を与えることで商品訴求力を高めることはほとんど行われていない。
【００１２】
この発明はかかる現状に鑑み、鉄道模型に求められる再現性とともに、独自の付加価値を付することで、より鉄道模型の商品訴求力を高めることを目的とし、かつその目的を容易に達成することのできる鉄道模型用コンテナを提供せんとするものである。
【課題を解決するための手段】
【００１３】
前記目的を達成するため、この発明の請求項１に記載の発明は、
冷蔵冷凍用発電装置を具備し、軌道上を走行する台車に搭載される鉄道輸送用コンテナの模型であって、
前記冷蔵冷凍用発電装置の搭載位置に相当する両側壁に透光用孔がそれぞれ形成され、かつ内面に遮光性が付与されたプラスチック製のコンテナ主体と、
前記透光用孔に近接して配置可能な一対のＬＥＤ発光体と、このＬＥＤ発光体に電流を供給するバッテリと、このバッテリを制御するスイッチから構成され、前記コンテナ主体内に装着される発光機構とからなること
を特徴とする鉄道模型用コンテナである。
【００１４】
また、この発明の請求項２に記載の発明は、
請求項１に記載の鉄道模型用コンテナにおいて、
前記コンテナ主体は、
下部が開口したものであって、この開口部から前記発光機構を着脱可能としたこと
を特徴とするものである。
【００１５】
また、この発明の請求項３に記載の発明は、
請求項１又は２に記載の鉄道模型用コンテナにおいて、
前記コンテナ主体は、
前記透光用孔以外の内面全体が、遮光用塗料もしくは遮光材によって覆われていること
を特徴とするものである。
【００１６】
また、この発明の請求項４に記載の発明は、
請求項１に記載の鉄道模型用コンテナにおいて、
前記発光機構は、
前記透光用孔に近接して配置される一対のＬＥＤ発光体と、このＬＥＤ発光体に電流を供給するバッテリおよびバッテリを制御するスイッチが、一つのケース内に収納され、ユニット化されていること
を特徴とするものである。
【００１７】
また、この発明の請求項５に記載の発明は、
請求項４に記載の鉄道模型用コンテナにおいて、
前記ケースは、
ケース本体と、このケース本体に開閉自在に装着される蓋体とで構成され、
前記ケース本体は、その前面に装着されたプリント基板の左右両側面に、前記コンテナ主体に形成された透光用孔と相対するＬＥＤ発光体がそれぞれ配置され、内部にバッテリを着脱自在に収納したもので、
前記蓋体は、その一部に蓋体を開閉し、かつ前記ケースをコンテナ外に取り出すための係合片が付設されるとともに、前記ケース本体に装置されたスイッチを外部に顕出させるための切欠き部が形成されていること
を特徴とするものである。
【００１８】
また、この発明の請求項６に記載の発明は、
請求項５に記載の鉄道模型用コンテナにおいて、
前記ケース本体は、
その背面側に、前記コンテナ主体内に平行配置された一対のコ字状のガイド溝とそれぞれ係合する一対のガイド片が付設されていること
を特徴とするものである。
【発明の効果】
【００１９】
この発明にかかる鉄道模型用コンテナは、冷蔵冷凍用発電装置を具備し、軌道上を走行する台車に搭載される鉄道輸送用コンテナの模型であって、前記冷蔵冷凍用発電装置の搭載位置に相当する切妻の両側壁にそれぞれ透光用孔が形成され、かつ内面に遮光性が付与されたプラスチック製のコンテナ主体と、前記透光用孔に近接して配置可能な一対のＬＥＤ発光体と、このＬＥＤ発光体に電流を供給するバッテリと、このバッテリを制御するスイッチから構成され、前記コンテナ主体内に装着される発光機構とで構成されている。
したがって、レール上を走行する台車上に、内部に発光機構を組み込んだコンテナ主体を搭載し、台車を走行させる際にバッテリを作動させると、ＬＥＤ発光体から発せられる光が透光用孔から外部に照射されるので、あたかも冷蔵冷凍用発電装置が作動しているかのような印象を看者に与えることができる。
【００２０】
特に、この鉄道模型用コンテナを、夜間周囲を暗くした状態で走行させる、照射光が明瞭になるため、実際の鉄道輸送用コンテナには存在しないが、外観上の体裁が向上するとともに、鉄道模型に対する商品訴求力を大幅に向上させることができる。
【００２１】
また、前記コンテナ主体内に配置される発光機構をユニット化し、コンテナ主体に対して着脱自在とすることによって、前記発光機構の損傷やバッテリの消耗による取り替えに際し、簡単かつ容易に取り替えることが可能となる。
【００２２】
さらに、前記発光機構のユニット化に際し、発光機構を全てケース本体内に収納し、バッテリの着脱のための蓋体を設けることによって、発光機構自体を簡素化でき、コンテナ主体内への発光機構の装着と取り外しを容易にすることができる。
【００２３】
さらにまた、前記ケース本体を装着するに際し、前記コンテナ本体内に一対のガイド溝を配設し、このガイド溝と係合するガイド片を前記ケース本体に付設することによって、発光機構のコンテナ主体内への着脱をより簡易に行うことができる。
【図面の簡単な説明】
【００２４】
【図１】この発明にかかる鉄道模型用コンテナを構成する発光機構の一例を示すもので、ケースに収納されユニット化された発光機構の正面斜視図である。
【図２】図１における発光機構において、ケースを開けた状態を示す斜視図である。
【図３】図１に示す発光機構とコンテナ主体との関係を示す説明図である。
【図４】この発明にかかる鉄道模型用コンテナの一例を示す底面図である。
【発明を実施するための形態】
【００２５】
以下、この発明にかかる鉄道模型用コンテナの一例を添付の図面に基づいて具体的に説明するが、この発明は図面に示される実施例にのみ限定されるものではなく、要旨を変更しない範囲内において種々改良を加えることができるものである。
【００２６】
この発明にかける鉄道模型用コンテナの原型は、たとえば特開２００３−２６９８３５号公報の図３〜４に示されるように、レール上を走行する鉄道輸送用の台車（コンテナ積載車）上に積載して輸送する列車輸送用コンテンであって、当該列車輸送用コンテナの一方の切妻側には、内部の積み荷を所定温度に保つための冷蔵冷凍用発電装置が設けられている。
【００２７】
前記冷蔵冷凍用発電装置は、内燃機関、発電機などを主要な構成要素とするもので、発電機で得た電力を、コンテナ側のコンセントにプラグ挿入することによって供給し、冷媒冷却ユニットのモータを駆動し、コンテナ内の積み荷を所定温度に保持している。
【００２８】
この発明の鉄道模型用コンテナ１は、前記列車輸送用コンテナの模型であって、図３に示すように、台車に搭載するコンテナ主体１と、このコンテナ主体１内に着脱自在に装着が可能な発光機構５とから構成されている。
【００２９】
前記コンテナ主体１はプラスチック材料で成型されたものであって、コンテナ主体１の下部は、後述する発光機構５を装着するため、下部が開口されている。
また、このコンテナ主体１の一方の切妻１ｂの正面（図示せず）および側面には、前記列車輸送用コンテナに搭載される冷蔵冷凍用の発電装置を再現するための特定の模様１ａが賦型され、リアリティ性を表現している。
【００３０】
また、このコンテナ主体１の切妻側の左右の上部コーナ部、すなわち、前記冷蔵冷凍用発電装置の搭載位置に相当する両側壁の上部コーナ部には、内部の光を外部に照射するための透光用孔２，２が相対するように形成されている。
【００３１】
また、前記コンテナ主体１の内面は、前記透光用孔２，２以外は遮光性が付与されているもので、具体的には、内面全体の遮光用塗料を塗布するか、もしくは遮光用シートを貼着して遮光性を付与するものである。
なお、図面上、遮光性を付与される部位をドット表示している。
【００３２】
さらに、コンテナ主体１の切妻１ｂから所要の間隔を存して、上面裏面から開口部方向に向けて左右一対の断面がコ字状のガイド溝３，３が一体的に垂設されている。
【００３３】
なお、実施例におけるコンテナ主体１の内部は、前記透光用孔２，２以外は遮光性が付与されているものとしているが、コンテナ主体１を構成するに際し、内部で発光する光が透光用孔２，２以外から外部に漏れない素材や厚みを有するものであれば、必ずしも内面に遮光性を付与する必要はない。
【００３４】
一方の発光機構５は、図２で明らかなように、左右一対のＬＥＤ発光体７，７と、前記ＬＥＤ発光体７，７に電流を供給するバッテリ８，８と、このバッテリ８，８を制御するスイッチ９とから構成されている。
【００３５】
この発明においては、前記部材からなる発光機構５をコンパクトに纏め、前記コンテナ主体１に簡単かつ容易に装着作業ができるようユニット化している。
【００３６】
すなわち、この発明においては、前記発光機構５を構成する部材を、ボックス状のケース本体１０と、その開口部に開閉自在に装着されるな蓋体１１とから構成されるケースに収納し、ユニット化を図っている。
【００３７】
前記ケースを構成するケース本体１０は、上部に開口部を有し、内部に少なくとも、例えばアルカリボタン電池１．５Ｖが２個収納できる大きさのものである。
図示しないが、底部の一部は、内装されたボタン電池８，８（前記バッテリ８，８と同一符号とする。）を上方の開口部側に押し上げるための、開口が所要の大きさで形成されている。
【００３８】
このケース本体１０は、その前面部にはプリント基板６が固定されている。
このプリント基板６の下方の左右両サイドには、前記透光用孔２，２に近接配置される一対のＬＥＤ発光体７，７が設けられているもので、このプリント基板６と前記ボタン電池８，８とはコード１２で接続されている。
【００３９】
また、前記プリント基板６の背面上部にはスイッチ９が配置されたスイッチボックスが９ａ設けられ、このスイッチ９のオン・オフによって前記ＬＥＤ発光体７，７が点灯・消灯するように構成されている。
【００４０】
また、前記ケース本体１０の開口部には、収納したボタン電池８，８が外部に飛び出すことを阻止するための蓋体１１がヒンジ１１ａによって回動可能に設けられているとともに、蓋体１１の前縁部には、前記ケース本体１０の左右上部に形成された係止片１０ａ，１０ａと係合する左右一対のフック部１１ｂ，１１ｂが下方に向かって突出形成されている。
【００４１】
また、前記蓋体１１の前縁部の上面には、閉止した蓋体１１を上方に持ち上げ、開口部を解放するための持上げ片１１ｃ，１１ｃが一体的に付設され、この持上げ片１１ｃ，１１ｃに爪を引っ掛け、上方に持ち上げることによって蓋体１１がヒンジ１１ａを支点として回動し、ケース本体１０の開口部が解放されるよう構成されている。
【００４２】
さらに、前記ケース本体１０の背面部には、図３で明らかなように、前記コンテナ主体１の上面裏面から開口部方向に向けて垂設された左右一対の断面がコ字状のガイド溝３，３と係合する左右一対のガイド板１０ｂ，１０ｂが一体的に付設されている。
【００４３】
かかる構成からなる発光機構５は、図４で明らかなように、プリント基板６を前記コンテナ主体１の切妻１ｂと相対させ、かつ前記スイッチ９が開口部側に位置する状態でセットしたのち、発光機構５をコンテナ主体１の上面裏面側に挿し込み、コンテナ主体１内に配置された左右のガイド溝３，３内にケース本体１０に形成したガイド板１０ｂ，１０ｂが嵌合するようにしながら押し込み、ケース本体１０の底面をコンテナ主体１の上面裏面側に当接させ固定保持するものである。
【００４４】
その際、コンテナ主体１の開口部は、当該コンテナ主体１の上面の短手側の幅を、上面から開口部方向に向かって若干幅狭とすることによって、コンテナ主体１内に装着された発光機構５はコンテナ主体１内から離脱するおそれがない。
なお、この実施例における発光機構５の固定保持の手段については、特段の制限はないので、両面接着剤などを利用することも可能なものである。
【００４５】
以上述べたように、この発明の実施例においては、発光機構５を構成する各部材を一つのケース内に収納してユニット化させているが、必ずしもユニット化させることなく、コンテナ主体内に適宜手段で保持させてもよい。
【００４６】
例えば、図示しないが、Ｔ字状の光ファイバーの基端部にＬＥＤ発光体を具備させ、その周囲を遮蔽材によって被覆し、ＬＥＤ発光体の光がＴ字状の光ファイバーの左右の端部以外からは外部に漏れないように構成し、前記ＬＥＤ発光体に電流を供給する電源とスイッチとをコンテナ主体内に配備してもよい。
【００４７】
あるいは前記ＬＥＤ発光体に供給する電流を、レールを介して外部のコントローラから直接供給を受けるように構成し、前記Ｔ字状の光ファイバーの左右の端部をコンテナ主体に形成した透光用孔に近接させて配置することによっても、前記透光用孔からＬＥＤ発光体の光を外部に照射させることができる。
【産業上の利用可能性】
【００４８】
この発明にかかる鉄道模型用コンテナは、コンテナ主体内の切妻に近接してＬＥＤ発光体を配置し、その光を切妻の左右側面の上部に設けた透光用孔からのみ照射させるように構成して、冷蔵冷凍用の発電装置が実際に作動しているように見せることで、実際には存在しない鉄道輸送用コンテナにはない付加価値を与えているので、冷蔵冷凍用の発電装置を具備した陸上輸送用コンテナを模した陸上車両用模型に適用することもでき、広く走行用玩具に大きな付加価値を与えることができる。
【符号の説明】
【００４９】
１        コンテナ主体
１ａ      模様
２        透光用孔
３        ガイド溝
５        発光機構
６        プリント基板
７        ＬＥＤ発光体
８        ボタン電池
９        スイッチ
１０      ケース本体
１０ａ    係止片
１０ｂ    ガイド板
１１      蓋体
１１ａ    ヒンジ
１１ｂ    フック部
１１ｃ    持上げ片
１２      接続用のコード
【図１】
2012045269.tif 000003
【図２】
2012045269.tif 000004
【図３】
2012045269.tif 000005
【図４】
2012045269.tif 000006
【手続補正書】
【提出日】平成23年6月21日(2011.6.21)
【手続補正１】
【補正対象書類名】特許請求の範囲
【補正対象項目名】全文
【補正方法】変更
【補正の内容】
【特許請求の範囲】
【請求項１】
冷蔵冷凍用発電装置を具備し、軌道上を走行する台車に搭載される鉄道輸送用コンテナの模型であって、プラスチック製のコンテナ主体と、前記コンテナ主体内に着脱自在に装着される発光機構とから構成され、
前記コンテナ主体は、
前記発光機構を着脱可能とする開口部を下部に有する中空体からなるもので、前記冷蔵冷凍用発電装置の搭載位置に相当する両側壁に透光用孔がそれぞれ形成され、かつ内面に遮光性が付与され、
前記発光機構は、
前記透光用孔に近接して配置可能な一対のＬＥＤ発光体と、このＬＥＤ発光体に電流を供給するバッテリと、このバッテリを制御するスイッチとからなること
を特徴とする鉄道模型用コンテナ。
【請求項２】
前記コンテナ主体は、
前記透光用孔以外の内面全体が、遮光用塗料もしくは遮光材によって覆われていること
を特徴とする請求項１に記載の鉄道模型用コンテナ。
【請求項３】
前記発光機構は、
前記透光用孔に近接して配置可能な一対のＬＥＤ発光体と、このＬＥＤ発光体に電流を供給するバッテリおよびバッテリを制御するスイッチが、一つのケース内に収納され、ユニット化されていること
を特徴とする請求項１に記載の鉄道模型用コンテナ。
【請求項４】
前記ケースは、
ケース本体と、このケース本体に開閉自在に装着される蓋体とで構成され、
前記ケース本体は、その前面に装着されたプリント基板の左右両側面に、前記コンテナ主体に形成された透光用孔と相対するＬＥＤ発光体がそれぞれ配置され、内部にバッテリを着脱自在に収納したもので、
前記蓋体は、その一部に蓋体を開閉し、かつ前記ケースをコンテナ外に取り出すための係合片が付設されるとともに、前記ケース本体に装置されたスイッチを外部に顕出させるための切欠き部が形成されていること
を特徴とする請求項３に記載の鉄道模型用コンテナ。
【請求項５】
前記ケース本体は、
その背面側に、前記コンテナ主体内に平行配置された一対のコ字状のガイド溝とそれぞれ係合する一対のガイド片が付設されていること
を特徴とする請求項４に記載の鉄道模型用コンテナ。
【手続補正２】
【補正対象書類名】明細書
【補正対象項目名】全文
【補正方法】変更
【補正の内容】
【発明の詳細な説明】
【技術分野】
【０００１】
この発明は、コンテナに配備した発電装置でコンテナ内に搭載された積み荷を、冷蔵又は冷凍状態で輸送する鉄道輸送用コンテナを模して成型された鉄道模型用コンテナに関するもので、鉄道模型技術に関するものである。
【背景技術】
【０００２】
レール上を走行する台車に搭載されるコンテナ内に、生鮮食品などの積み荷を冷蔵又は冷凍状態で輸送する鉄道輸送用コンテナには、コンテナ外に設けられた外部電源から給電を受ける集中式タイプと、コンテナに装置された電源から直接給電する分散式タイプのコンテナが知られている。
【０００３】
なかでも、前記分散式のコンテナは、コンテナの一部（多くの場合コンテナの前部の切妻側）にディーゼルエンジン発電機が搭載され、発電された電力によって冷凍機を駆動するもので、すでに鉄道模型においても、外形が同一のモデルの鉄道模型用コンテナが販売されている。
【０００４】
かかる鉄道模型において、たとえば、特開２００４−０５７４９３号公報（特許文献１）においては、ライトを取り付ける部分にライト取付孔を設け、このライト取付孔を内側から着脱可能な閉塞部材で閉塞することによって、外側からライト取付孔を介して内部が見えないようにした走行模型玩具が提案されて、ライトを発光ダイオードとすることも開示されている。
【０００５】
また、特開２００８−１７３３０３号公報（特許文献２）においては、前照灯付模型における点灯性を維持しつつ、消灯時の色味に実物同様のリアリティを持たせる鉄道用模型が提案されているなど、室内灯や前照灯を点灯するよう構成された鉄道模型は広く知られている。
【０００６】
前記特許文献２で開示されている鉄道模型は、前照灯付模型において、前照灯に相当する部位に貫通孔が形成された模型本体と、模型本体内に設けられ発光状態を制御可能な発光体と、一部が貫通孔に挿入されているとともに、発光体から出射された光を自己の形状に応じて導き、貫通孔より露出した先端面から外部に向かって光を放射する導光機構と、前記先端面よりも内側の前記導光機構中であって、かつ、前記先端面から見通すことができる位置に介在し、光の一部を透過する半透過性を有する反射型の金属蒸着膜とを有するものである。
【０００７】
さらに、登録実用新案第３１５０３９４号公報（特許文献３）では、ＬＥＤを使用した点灯式の道路信号機の模型が提案されている。
【先行技術文献】
【特許文献】
【０００８】
【特許文献１】特開２００４−０５７４９３号公報（特許請求の範囲）
【特許文献２】特開２００８−１７３３０３号公報（特許請求の範囲，図１〜図３）
【特許文献３】登録実用新案第３１５０３９４号公報（実用新案登録請求の範囲）
【発明の概要】
【発明が解決しようとする課題】
【０００９】
一般的に鉄道模型は、実際の鉄道車両をモデルとし、使用するレールの幅に応じてＮゲージやＨＯゲージ、さらにはＯゲージの規格に合わせて縮尺して成型されている。
したがって、購入者は、自己の所有するレールに適合する鉄道模型を購入するに際しては、当該鉄道模型が如何に実物を忠実に再現しているか、その再現性が購入の大きなファクターとなっている。
【００１０】
その際、当然のことながら、特許文献１で開示されているように、外側からライト取付孔を介して内部が見えないようにする工夫や、点灯性を維持しつつ、消灯時の色味に実物同様のリアリティを持たせることで、商品訴求力を高めることが行われている。
【００１１】
しかしながら、再現性の精緻さが求められる鉄道模型では、鉄道車両やコンテナと相似させることに主眼が置かれるため、実物にない装置等を付加する思想はなく、当該鉄道模型に付加価値を与えることで商品訴求力を高めることはほとんど行われていない。
【００１２】
この発明はかかる現状に鑑み、鉄道模型に求められる再現性とともに、独自の付加価値を付することで、より鉄道模型の商品訴求力を高めることを目的とし、かつその目的を容易に達成することのできる鉄道模型用コンテナを提供せんとするものである。
【課題を解決するための手段】
【００１３】
前記目的を達成するため、この発明の請求項１に記載の発明は、
冷蔵冷凍用発電装置を具備し、軌道上を走行する台車に搭載される鉄道輸送用コンテナの模型であって、プラスチック製のコンテナ主体と、前記コンテナ主体内に着脱自在に装着される発光機構とから構成され、
前記コンテナ主体は、
前記発光機構を着脱可能とする開口部を下部に有する中空体からなるもので、前記冷蔵冷凍用発電装置の搭載位置に相当する両側壁に透光用孔がそれぞれ形成され、かつ内面に遮光性が付与され、
前記発光機構は、
前記透光用孔に近接して配置可能な一対のＬＥＤ発光体と、このＬＥＤ発光体に電流を供給するバッテリと、このバッテリを制御するスイッチとからなること
を特徴とする鉄道模型用コンテナである。
【００１４】
また、この発明の請求項２に記載の発明は、
請求項１に記載の鉄道模型用コンテナにおいて、
前記コンテナ主体は、
前記透光用孔以外の内面全体が、遮光用塗料もしくは遮光材によって覆われていること
を特徴とするものである。
【００１５】
また、この発明の請求項３に記載の発明は、
請求項１に記載の鉄道模型用コンテナにおいて、
前記発光機構は、
前記透光用孔に近接して配置可能な一対のＬＥＤ発光体と、このＬＥＤ発光体に電流を供給するバッテリおよびバッテリを制御するスイッチが、一つのケース内に収納され、ユニット化されていること
を特徴とするものである。
【００１６】
また、この発明の請求項４に記載の発明は、
請求項３に記載の鉄道模型用コンテナにおいて、
前記ケースは、
ケース本体と、このケース本体に開閉自在に装着される蓋体とで構成され、
前記ケース本体は、その前面に装着されたプリント基板の左右両側面に、前記コンテナ主体に形成された透光用孔と相対するＬＥＤ発光体がそれぞれ配置され、内部にバッテリを着脱自在に収納したもので、
前記蓋体は、その一部に蓋体を開閉し、かつ前記ケースをコンテナ外に取り出すための係合片が付設されるとともに、前記ケース本体に装置されたスイッチを外部に顕出させるための切欠き部が形成されていること
を特徴とするものである。
【００１７】
また、この発明の請求項５に記載の発明は、
請求項４に記載の鉄道模型用コンテナにおいて、
前記ケース本体は、
その背面側に、前記コンテナ主体内に平行配置された一対のコ字状のガイド溝とそれぞれ係合する一対のガイド片が付設されていること
を特徴とするものである。
【発明の効果】
【００１８】
この発明にかかる鉄道模型用コンテナは、冷蔵冷凍用発電装置を具備し、軌道上を走行する台車に搭載される鉄道輸送用コンテナの模型であって、発光機構を着脱可能とする開口部を下部に有する中空体で形成され、前記冷蔵冷凍用発電装置の搭載位置に相当する切妻の両側壁にそれぞれ透光用孔が形成され、かつ内面に遮光性が付与されたプラスチック製のコンテナ主体と、前記透光用孔に近接して配置可能な一対のＬＥＤ発光体と、このＬＥＤ発光体に電流を供給するバッテリおよびバッテリを制御するスイッチからなる発光機構とで構成されている。
したがって、レール上を走行する台車上に、内部に発光機構を組み込んだコンテナ主体を搭載し、台車を走行させる際にバッテリを作動させると、ＬＥＤ発光体から発せられる光が透光用孔から外部に照射されるので、あたかも冷蔵冷凍用発電装置が作動しているかのような印象を看者に与えることができる。
【００１９】
特に、この鉄道模型用コンテナを、夜間周囲を暗くした状態で走行させる、照射光が明瞭になるため、実際の鉄道輸送用コンテナには存在しないが、外観上の体裁が向上するとともに、鉄道模型に対する商品訴求力を大幅に向上させることができる。
【００２０】
また、前記発光機構を中空体の下部に形成された開口部から着脱可能としているので、コンテナ主体内への発光機構の装着と取り外しが容易となる。
さらに、前記透光用孔に近接して配置可能な一対のＬＥＤ発光体と、このＬＥＤ発光体に電流を供給するバッテリおよびバッテリを制御するスイッチを一つのケース内に収納してユニット化することによって、前記発光機構の損傷やバッテリの消耗による取り替えに際し、簡単かつ容易に取り替えることが可能となる。
【００２１】
さらに、前記発光機構のユニット化に際し、前記ケースを、ケース本体と、このケース本体に開閉自在に装着される蓋体とで構成することによって、バッテリの着脱が容易となるとともに、発光機構自体を簡素化でき、コンテナ主体内への発光機構の装着と取り外しを容易にすることができる。
【００２２】
さらにまた、前記ケース本体をコンテナ主体内に着脱自在に装着するに際し、前記コンテナ本体内に一対のガイド溝を配設し、このガイド溝と係合するガイド片を前記ケース本体に付設することによって、発光機構のコンテナ主体内への着脱をより簡易に行うことができる。
【図面の簡単な説明】
【００２３】
【図１】この発明にかかる鉄道模型用コンテナを構成する発光機構の一例を示すもので、ケースに収納されユニット化された発光機構の正面斜視図である。
【図２】図１における発光機構において、ケースを開けた状態を示す斜視図である。
【図３】図１に示す発光機構とコンテナ主体との関係を示す説明図である。
【図４】この発明にかかる鉄道模型用コンテナの一例を示す底面図である。
【発明を実施するための形態】
【００２４】
以下、この発明にかかる鉄道模型用コンテナの一例を添付の図面に基づいて具体的に説明する。
なお、この発明は図面に示される実施例にのみ限定されるものではなく、要旨を変更しない範囲内において種々改良を加えることができるものである。
【００２５】
この発明にかける鉄道模型用コンテナの原型は、たとえば特開２００３−２６９８３５号公報の図３〜４に示されるように、レール上を走行する鉄道輸送用の台車（コンテナ積載車）上に積載して輸送する列車輸送用コンテンであって、当該列車輸送用コンテナの一方の切妻側には、内部の積み荷を所定温度に保つための冷蔵冷凍用発電装置が設けられている。
【００２６】
前記冷蔵冷凍用発電装置は、内燃機関、発電機などを主要な構成要素とするもので、発電機で得た電力を、コンテナ側のコンセントにプラグ挿入することによって供給し、冷媒冷却ユニットのモータを駆動し、コンテナ内の積み荷を所定温度に保持している。
【００２７】
この発明の鉄道模型用コンテナ１は、前記列車輸送用コンテナの模型であって、図３に示すように、台車に搭載するコンテナ主体１と、このコンテナ主体１内に着脱自在に装着が可能な発光機構５とから構成されている。
【００２８】
前記コンテナ主体１はプラスチック材料で成型されたものであって、コンテナ主体１の下部は、後述する発光機構５を装着するため開口されている。
【００２９】
また、このコンテナ主体１の一方の切妻１ｂの正面（図示せず）および側面には、前記列車輸送用コンテナに搭載される冷蔵冷凍用の発電装置を再現するための特定の模様１ａが賦型され、リアリティ性を表現している。
【００３０】
また、このコンテナ主体１の切妻側の左右の上部コーナ部、すなわち、前記冷蔵冷凍用発電装置の搭載位置に相当する両側壁の上部コーナ部には、内部の光を外部に照射するための透光用孔２，２が相対するように形成されている。
【００３１】
また、前記コンテナ主体１の内面は、前記透光用孔２，２以外は遮光性が付与されているもので、具体的には、内面全体の遮光用塗料を塗布するか、もしくは遮光用シートを貼着して遮光性を付与するものである。
なお、図面上、遮光性を付与される部位をドット表示している。
【００３２】
さらに、コンテナ主体１の切妻１ｂから所要の間隔を存して、上面裏面から開口部方向に向けて左右一対の断面がコ字状のガイド溝３，３が一体的に垂設されている。
【００３３】
なお、実施例におけるコンテナ主体１の内部は、前記透光用孔２，２以外は遮光性が付与されているものとしているが、コンテナ主体１を構成するに際し、内部で発光する光が透光用孔２，２以外から外部に漏れない素材や厚みを有するものであれば、必ずしも内面に遮光性を付与する必要はない。
【００３４】
一方の発光機構５は、図２で明らかなように、左右一対のＬＥＤ発光体７，７と、前記ＬＥＤ発光体７，７に電流を供給するバッテリ８，８と、このバッテリ８，８を制御するスイッチ９とから構成されている。
【００３５】
この発明においては、前記部材からなる発光機構５をコンパクトに纏め、前記コンテナ主体１に簡単かつ容易に装着作業ができるようユニット化している。
【００３６】
すなわち、この発明においては、前記発光機構５を構成する部材を、ボックス状のケース本体１０と、その開口部に開閉自在に装着される蓋体１１とから構成されるケースに収納し、ユニット化を図っている。
【００３７】
前記ケースを構成するケース本体１０は、上部に開口部を有し、内部に少なくとも、例えばアルカリボタン電池１．５Ｖが２個収納できる大きさのものである。
図示しないが、底部の一部は、内装されたボタン電池８，８（前記バッテリ８，８と同一符号とする。）を上方の開口部側に押し上げるための、開口が所要の大きさで形成されている。
【００３８】
このケース本体１０は、その前面部にはプリント基板６が固定されている。
このプリント基板６の下方の左右両サイドには、前記透光用孔２，２に近接配置される一対のＬＥＤ発光体７，７が設けられているもので、このプリント基板６と前記ボタン電池８，８とはコード１２で接続されている。
【００３９】
また、前記プリント基板６の背面上部にはスイッチ９が配置されたスイッチボックスが９ａ設けられ、このスイッチ９のオン・オフによって前記ＬＥＤ発光体７，７が点灯・消灯するように構成されている。
【００４０】
また、前記ケース本体１０の開口部には、収納したボタン電池８，８が外部に飛び出すことを阻止するための蓋体１１が、ヒンジ１１ａによって回動可能に設けられている。
さらに、前記蓋体１１の前縁部には、前記ケース本体１０の左右上部に形成された係止片１０ａ，１０ａと係合する、左右一対のフック部１１ｂ，１１ｂが下方に向かって突出形成されている。
【００４１】
また、前記蓋体１１の前縁部の上面には、閉止した蓋体１１を上方に持ち上げ、開口部を解放するための持上げ片１１ｃ，１１ｃが一体的に付設され、この持上げ片１１ｃ，１１ｃに爪を引っ掛け、上方に持ち上げることによって蓋体１１がヒンジ１１ａを支点として回動し、ケース本体１０の開口部が解放されるよう構成されている。
【００４２】
前記ケース本体１０の背面部には、図３で明らかなように、前記コンテナ主体１の上面裏面から開口部方向に向けて垂設された、左右一対の断面がコ字状のガイド溝３，３と係合する左右一対のガイド板１０ｂ，１０ｂが一体的に付設されている。
【００４３】
かかる構成からなる発光機構５は、図４で明らかなように、プリント基板６を前記コンテナ主体１の切妻１ｂと相対させ、かつ前記スイッチ９が開口部側に位置する状態でセットしたのち、発光機構５をコンテナ主体１の上面裏面側に挿し込み、コンテナ主体１内に配置された左右のガイド溝３，３内にケース本体１０に形成したガイド板１０ｂ，１０ｂが嵌合するようにしながら押し込み、ケース本体１０の底面をコンテナ主体１の上面裏面側に当接させ固定保持するものである。
【００４４】
その際、コンテナ主体１の開口部は、当該コンテナ主体１の上面の短手側の幅を、上面から開口部方向に向かって若干幅狭とすることによって、コンテナ主体１内に装着された発光機構５はコンテナ主体１内から離脱するおそれがない。
なお、この実施例における発光機構５の固定保持の手段については、特段の制限はないので、両面接着剤などを利用することも可能なものである。
【００４５】
以上述べたように、この発明の実施例においては、発光機構５を構成する各部材を一つのケース内に収納してユニット化させているが、必ずしもユニット化させることなく、コンテナ主体内に適宜手段で保持させてもよい。
【００４６】
例えば、図示しないが、Ｔ字状の光ファイバーの基端部にＬＥＤ発光体を具備させ、その周囲を遮蔽材によって被覆し、ＬＥＤ発光体の光がＴ字状の光ファイバーの左右の端部以外からは外部に漏れないように構成し、前記ＬＥＤ発光体に電流を供給する電源とスイッチとをコンテナ主体内に配備してもよい。
【００４７】
あるいは前記ＬＥＤ発光体に供給する電流を、レールを介して外部のコントローラから直接供給を受けるように構成し、前記Ｔ字状の光ファイバーの左右の端部をコンテナ主体に形成した透光用孔に近接させて配置することによっても、前記透光用孔からＬＥＤ発光体の光を外部に照射させることができる。
【産業上の利用可能性】
【００４８】
この発明にかかる鉄道模型用コンテナは、コンテナ主体内の切妻に近接してＬＥＤ発光体を配置し、その光を切妻の左右側面の上部に設けた透光用孔からのみ照射させるように構成して、冷蔵冷凍用の発電装置が実際に作動しているように見せることで、実際には存在しない鉄道輸送用コンテナにはない付加価値を与えているので、冷蔵冷凍用の発電装置を具備した陸上輸送用コンテナを模した陸上車両用模型に適用することもでき、広く走行用玩具に大きな付加価値を与えることができる。
【符号の説明】
【００４９】
１        コンテナ主体
１ａ      模様
２        透光用孔
３        ガイド溝
５        発光機構
６        プリント基板
７        ＬＥＤ発光体
８        ボタン電池
９        スイッチ
１０      ケース本体
１０ａ    係止片
１０ｂ    ガイド板
１１      蓋体
１１ａ    ヒンジ
１１ｂ    フック部
１１ｃ    持上げ片
１２      接続用のコード
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
冷蔵冷凍用発電装置を具備し、軌道上を走行する台車に搭載される鉄道輸送用コンテナの模型であって、プラスチック製のコンテナ主体と、前記コンテナ主体内に装着される発光機構とから構成され、
前記コンテナ主体は、
前記発光機構を着脱可能とする開口部に下部に有し、かつ内部が遮光性を有する中空体からなるもので、前記冷蔵冷凍用発電装置の搭載位置に相当する両側壁に透光用孔がそれぞれ形成されるとともに、前記透孔用孔から離れた部位の上面裏面から前記開口部に向けて左右一対の断面がコ字状のガイド溝が形成され、
前記発光機構は、
バッテリが収納可能な大きさを有するケース本体の上部開口部に、蓋体がヒンジを介して回動可能に設けられ、
前記蓋体の前縁部には、ケース本体の上部に設けられた左右一対の係止片と係合する左右一対のフック部が下方に向かって突出形成されるとともに、閉止された蓋体を開放するための一対の持ち上げ片が付設され、
前記ケース本体の前面部には、前記透孔用孔に近接配置される一対のＬＥＤ発光体を有するプリント基板が配置され、かつ背面部には、前記コンテナ主体の内部に設けられた左右一対のガイド溝と係合し、ケース本体をコンテナ主体内に保持する左右一対のガイド板が設けられ、
前記発光機構の一対のガイド板を、前記コンテナ主体のガイド溝にそれぞれ係合させることによって、発光機構をコンテナ主体に対し着脱自在とし、
前記ケース本体に配置されたスイッチの操作によって、前記一対のＬＥＤ発光体を制御するよう構成されていること
を特徴とする鉄道模型用コンテナ。
【請求項２】
前記コンテナ主体は、
その開口部が、当該コンテナ主体の上面の短手側の幅を、上面から開口部方向に向かって若干幅狭に形成されていること
を特徴とする請求項１に記載の鉄道模型用コンテナ。
【手続補正２】
【補正対象書類名】明細書
【補正対象項目名】全文
【補正方法】変更
【補正の内容】
【発明の詳細な説明】
【技術分野】
【０００１】
この発明は、コンテナに配備した発電装置でコンテナ内に搭載された積み荷を、冷蔵又は冷凍状態で輸送する鉄道輸送用コンテナを模して成型された鉄道模型用コンテナに関するもので、鉄道模型技術に関するものである。
【背景技術】
【０００２】
レール上を走行する台車に搭載されるコンテナ内に、生鮮食品などの積み荷を冷蔵又は冷凍状態で輸送する鉄道輸送用コンテナには、コンテナ外に設けられた外部電源から給電を受ける集中式タイプと、コンテナに装置された電源から直接給電する分散式タイプのコンテナが知られている。
【０００３】
なかでも、前記分散式のコンテナは、コンテナの一部（多くの場合コンテナの前部の切妻側）にディーゼルエンジン発電機が搭載され、発電された電力によって冷凍機を駆動するもので、すでに鉄道模型においても、外形が同一のモデルの鉄道模型用コンテナが販売されている。
【０００４】
かかる鉄道模型において、たとえば、特開２００４−０５７４９３号公報（特許文献１）においては、ライトを取り付ける部分にライト取付孔を設け、このライト取付孔を内側から着脱可能な閉塞部材で閉塞することによって、外側からライト取付孔を介して内部が見えないようにした走行模型玩具が提案されて、ライトを発光ダイオードとすることも開示されている。
【０００５】
また、特開２００８−１７３３０３号公報（特許文献２）においては、前照灯付模型における点灯性を維持しつつ、消灯時の色味に実物同様のリアリティを持たせる鉄道用模型が提案されているなど、室内灯や前照灯を点灯するよう構成された鉄道模型は広く知られている。
【０００６】
前記特許文献２で開示されている鉄道模型は、前照灯付模型において、前照灯に相当する部位に貫通孔が形成された模型本体と、模型本体内に設けられ発光状態を制御可能な発光体と、一部が貫通孔に挿入されているとともに、発光体から出射された光を自己の形状に応じて導き、貫通孔より露出した先端面から外部に向かって光を放射する導光機構と、前記先端面よりも内側の前記導光機構中であって、かつ、前記先端面から見通すことができる位置に介在し、光の一部を透過する半透過性を有する反射型の金属蒸着膜とを有するものである。
【０００７】
さらに、登録実用新案第３１５０３９４号公報（特許文献３）では、ＬＥＤを使用した点灯式の道路信号機の模型が提案されている。
【先行技術文献】
【特許文献】
【０００８】
【特許文献１】特開２００４−０５７４９３号公報（特許請求の範囲）
【特許文献２】特開２００８−１７３３０３号公報（特許請求の範囲，図１〜図３）
【特許文献３】登録実用新案第３１５０３９４号公報（実用新案登録請求の範囲）
【発明の概要】
【発明が解決しようとする課題】
【０００９】
一般的に鉄道模型は、実際の鉄道車両をモデルとし、使用するレールの幅に応じてＮゲージやＨＯゲージ、さらにはＯゲージの規格に合わせて縮尺して成型されている。
したがって、購入者は、自己の所有するレールに適合する鉄道模型を購入するに際しては、当該鉄道模型が如何に実物を忠実に再現しているか、その再現性が購入の大きなファクターとなっている。
【００１０】
その際、当然のことながら、特許文献１で開示されているように、外側からライト取付孔を介して内部が見えないようにする工夫や、点灯性を維持しつつ、消灯時の色味に実物同様のリアリティを持たせることで、商品訴求力を高めることが行われている。
【００１１】
しかしながら、再現性の精緻さが求められる鉄道模型では、鉄道車両やコンテナと相似させることに主眼が置かれるため、実物にない装置等を付加する思想はなく、当該鉄道模型に付加価値を与えることで商品訴求力を高めることは、殆ど行われていない。
【００１２】
この発明はかかる現状に鑑み、鉄道模型に求められる再現性とともに、独自の付加価値を付することで、より鉄道模型の商品訴求力を高めることを目的とし、かつその目的を容易に達成することのできる鉄道模型用コンテナを提供せんとするものである。
【課題を解決するための手段】
【００１３】
前記目的を達成するため、この発明の請求項１に記載の発明は、
冷蔵冷凍用発電装置を具備し、軌道上を走行する台車に搭載される鉄道輸送用コンテナの模型であって、プラスチック製のコンテナ主体と、前記コンテナ主体内に着脱自在に装着される発光機構とから構成され、
前記コンテナ主体は、
前記発光機構を着脱可能とする開口部を下部に有し、かつ内部が遮光性を有する中空体からなるもので、前記冷蔵冷凍用発電装置の搭載位置に相当する両側壁に透光用孔がそれぞれ形成されるとともに、前記透孔用孔から離れた部位の上面裏面から前記開口部に向けて左右一対の断面がコ字状のガイド溝が形成され、
前記発光機構は、
バッテリが収納可能な大きさを有するケース本体の上部開口部に、蓋体がヒンジを介して回動可能に設けられ、前記蓋体の前縁部には、ケース本体の上部に設けられた左右一対の係止片と係合する左右一対のフック部が下方に向かって突出形成されるとともに、閉止された蓋体を開放するための一対の持ち上げ片が付設され、前記ケース本体の前面部には、前記透孔用孔に近接配置される一対のＬＥＤ発光体を有するプリント基板が配置され、かつ背面部には、前記コンテナ主体の内部に設けられた左右一対のガイド溝と係合し、ケース本体をコンテナ主体内に保持する左右一対のガイド板が設けられ、
前記発光機構の一対のガイド板を、前記コンテナ主体のガイド溝にそれぞれ係合させることによって、発光機構をコンテナ主体に対し着脱自在とし、
前記ケース本体に配置されたスイッチの操作によって、前記一対のＬＥＤ発光体を制御するよう構成されていること
を特徴とする鉄道模型用コンテナである。
【００１４】
また、この発明の請求項２に記載の発明は、
請求項１に記載の鉄道模型用コンテナにおいて、
前記コンテナ主体は、
その開口部が、当該コンテナ主体の上面の短手側の幅を、上面から開口部方向に向かって若干幅狭に形成されていること
を特徴とするものである。
【発明の効果】
【００１５】
この発明にかかる鉄道模型用コンテナは、冷蔵冷凍用発電装置を具備し、軌道上を走行する台車に搭載される鉄道輸送用コンテナの模型であって、プラスチック製のコンテナ主体の前記冷蔵冷凍用発電装置の搭載位置に相当する切妻の両側壁にそれぞれ形成された透光用孔を介して、前記コンテナ主体内に設けられた発光機構を構成するＬＥＤ発光体からの光を外部に照射するよう構成されているので、レール上を走行する台車上に、内部に発光機構を組み込んだコンテナ主体を搭載し、台車を走行させる際にバッテリを作動させると、ＬＥＤ発光体から発せられる光が透光用孔から外部に照射されるので、あたかも冷蔵冷凍用発電装置が作動しているかのような印象を看者に与えることができる。
【００１６】
したがって、この鉄道模型用コンテナを、夜間周囲を暗くした状態で走行させる、照射光が明瞭になるため、実際の鉄道輸送用コンテナには存在しないが、外観上の体裁が向上するとともに、鉄道模型に対する商品訴求力を大幅に向上させることができる。
【００１７】
特に、この発明においては、前記発光機構は、バッテリが収納可能な大きさを有するケース本体の上部開口部に、蓋体がヒンジを介して回動可能に設けられ、前記蓋体の前縁部には、ケース本体の上部に設けられた左右一対の係止片と係合する左右一対のフック部が下方に向かって突出形成されるとともに、閉止された蓋体を開放するための一対の持ち上げ片が付設され、前記ケース本体の前面部には、前記透孔用孔に近接配置される一対のＬＥＤ発光体を有するプリント基板が配置され、かつ背面部には、前記コンテナ主体の内部に設けられた左右一対のガイド溝と係合し、ケース本体をコンテナ主体内に保持する左右一対のガイド板を設けられているので、コンテナ主体内への発光機構の着脱をきわめて容易に行うことができる。
【００１８】
さらに、前記透光用孔に近接して配置可能な一対のＬＥＤ発光体と、このＬＥＤ発光体に電流を供給するバッテリおよびバッテリを制御するスイッチを一つのケース内に収納してユニット化することによって、前記発光機構の損傷やバッテリの消耗による取り替えに際し、前記蓋体に設けた持ち上げ片を利用することによって、簡単かつ容易に取り替えることが可能となる。
【００１９】
さらにまた、前記発光機構のユニット化に際し、前記ケースを、ケース本体と、このケース本体に開閉自在に装着される蓋体とで構成することによって、バッテリの着脱が容易となるとともに、発光機構自体を簡素化でき、コンテナ主体内への発光機構の装着と取り外しを容易にすることができる。
なお、前記蓋体は、前縁部に一対のフック部を有し、このフック部が前記ケース本体に設けられた一対の係止片と常時係合しているので、バッテリが不用意に抜け落ちることがない。
【００２０】
さらにまた、前記ケース本体をコンテナ主体内に着脱自在に装着するに際し、前記コンテナ本体内に一対のガイド溝が配設され、このガイド溝と係合するガイド片が前記ケース本体に付設されているので、発光機構のコンテナ主体内への着脱をより簡易に行うことができる。
【図面の簡単な説明】
【００２１】
【図１】この発明にかかる鉄道模型用コンテナを構成する発光機構の一例を示すもので、ケースに収納されユニット化された発光機構の正面斜視図である。
【図２】図１における発光機構において、ケースを開けた状態を示す斜視図である。
【図３】図１に示す発光機構とコンテナ主体との関係を示す説明図である。
【図４】この発明にかかる鉄道模型用コンテナの一例を示す底面図である。
【発明を実施するための形態】
【００２２】
以下、この発明にかかる鉄道模型用コンテナの一例を添付の図面に基づいて具体的に説明する。
なお、この発明は図面に示される実施例にのみ限定されるものではなく、要旨を変更しない範囲内において種々改良を加えることができるものである。
【００２３】
この発明にかける鉄道模型用コンテナの原型は、たとえば特開２００３−２６９８３５号公報の図３〜４に示されるように、レール上を走行する鉄道輸送用の台車（コンテナ積載車）上に積載して輸送する列車輸送用コンテンであって、当該列車輸送用コンテナの一方の切妻側には、内部の積み荷を所定温度に保つための冷蔵冷凍用発電装置が設けられている。
【００２４】
前記冷蔵冷凍用発電装置は、内燃機関、発電機などを主要な構成要素とするもので、発電機で得た電力を、コンテナ側のコンセントにプラグ挿入することによって供給し、冷媒冷却ユニットのモータを駆動し、コンテナ内の積み荷を所定温度に保持している。
【００２５】
この発明の鉄道模型用コンテナは、前記列車輸送用コンテナの模型であって、図３に示すように、台車に搭載するコンテナ主体１と、このコンテナ主体１内に着脱自在に装着が可能な発光機構５とから構成されている。
【００２６】
前記コンテナ主体１はプラスチック材料で成型されたものであって、コンテナ主体１の下部は、後述する発光機構５を装着するため開口されている。
【００２７】
このコンテナ主体１の一方の切妻１ｂの正面（図示せず）および側面には、前記列車輸送用コンテナに搭載される冷蔵冷凍用の発電装置を再現するための特定の模様１ａが賦型され、リアリティ性を表現している。
【００２８】
さらに、このコンテナ主体１の切妻側の左右の上部コーナ部、すなわち、前記冷蔵冷凍用発電装置の搭載位置に相当する両側壁の上部コーナ部には、内部の光を外部に照射するための透光用孔２，２が相対するように形成されている。
【００２９】
前記コンテナ主体１の内面は、前記透光用孔２，２以外は遮光性が付与されているもので、具体的には、内面全体の遮光用塗料を塗布するか、もしくは遮光用シートを貼着して遮光性を付与するものである。
なお、図面上、遮光性を付与される部位をドット表示している。
【００３０】
さらに、前記コンテナ主体１の切妻１ｂから所要の間隔を存して、上面裏面から開口部方向に向けて左右一対の断面がコ字状のガイド溝３，３が一体的に垂設されている。
【００３１】
なお、実施例におけるコンテナ主体１の内部は、前記透光用孔２，２以外は遮光性が付与されているものとしているが、コンテナ主体１を構成するに際し、内部で発光する光が透光用孔２，２以外から外部に漏れない素材や厚みを有するものであれば、必ずしも内面に遮光性を付与する必要はない。
【００３２】
一方の発光機構５は、図２で明らかなように、左右一対のＬＥＤ発光体７，７と、前記ＬＥＤ発光体７，７に電流を供給するバッテリ８，８と、このバッテリ８，８を制御するスイッチ９とから構成されている。
【００３３】
この発明においては、前記部材からなる発光機構５をコンパクトに纏め、前記コンテナ主体１に簡単かつ容易に装着作業ができるようユニット化している。
【００３４】
すなわち、この発明においては、前記発光機構５を構成する部材を、ボックス状のケース本体１０と、その開口部に開閉自在に装着される蓋体１１とから構成されるケースに収納し、ユニット化を図っている。
【００３５】
前記ケースを構成するケース本体１０は、上部に開口部を有し、内部に少なくとも、例えばアルカリボタン電池１．５Ｖが２個収納できる大きさのものである。
図示しないが、底部の一部は、内装されたボタン電池８，８（前記バッテリ８，８と同一符号とする。）を上方の開口部側に押し上げるための、開口が所要の大きさで形成されている。
【００３６】
このケース本体１０は、その前面部にはプリント基板６が固定されている。
このプリント基板６の下方の左右両サイドには、前記透光用孔２，２に近接配置される一対のＬＥＤ発光体７，７が設けられているもので、このプリント基板６と前記ボタン電池８，８とはコード１２で接続されている。
【００３７】
前記プリント基板６の背面上部には、図２に示すように、スイッチ９が配置されたスイッチボックスが９ａ設けられ、このスイッチ９のオン・オフによって、前記ＬＥＤ発光体７，７が点灯・消灯するように構成されている。
【００３８】
前記ケース本体１０の開口部には、収納したボタン電池８，８が外部に飛び出すことを阻止するための蓋体１１が、ヒンジ１１ａによって回動可能に設けられている。
さらに、前記蓋体１１の前縁部には、前記ケース本体１０の左右上部に形成された係止片１０ａ，１０ａと係合する、左右一対のフック部１１ｂ，１１ｂが下方に向かって突出形成されている。
【００３９】
前記蓋体１１の前縁部の上面には、閉止した蓋体１１を上方に持ち上げ、開口部を解放するための持上げ片１１ｃ，１１ｃが一体的に付設され、この持上げ片１１ｃ，１１ｃに爪を引っ掛け、上方に持ち上げることによって、蓋体１１がヒンジ１１ａを支点として回動し、ケース本体１０の開口部が解放されるよう構成されている。
【００４０】
前記ケース本体１０の背面部には、図３で明らかなように、前記コンテナ主体１の上面裏面から開口部方向に向けて垂設された、左右一対の断面がコ字状のガイド溝３，３と係合する左右一対のガイド板１０ｂ，１０ｂが一体的に付設されている。
【００４１】
かかる構成からなる発光機構５は、図４で明らかなように、プリント基板６を前記コンテナ主体１の切妻１ｂと相対させ、かつ前記スイッチ９が開口部側に位置する状態でセットしたのち、発光機構５をコンテナ主体１の上面裏面側に挿し込み、コンテナ主体１内に配置された左右のガイド溝３，３内にケース本体１０に形成したガイド板１０ｂ，１０ｂが嵌合するようにしながら押し込み、ケース本体１０の底面をコンテナ主体１の上面裏面側に当接させ固定保持するものである。
【００４２】
その際、コンテナ主体１の開口部は、当該コンテナ主体１の上面の短手側の幅を、上面から開口部方向に向かって若干幅狭とすることによって、コンテナ主体１内に装着された発光機構５はコンテナ主体１内から離脱するおそれがない。
【００４３】
以上述べたように、この発明の実施例においては、発光機構５を構成する各部材を一つのケース内に収納してユニット化させているが、必ずしもユニット化させることなく、コンテナ主体内に適宜手段で保持させてもよい。
【００４４】
例えば、図示しないが、Ｔ字状の光ファイバーの基端部にＬＥＤ発光体を具備させ、その周囲を遮蔽材によって被覆し、ＬＥＤ発光体の光がＴ字状の光ファイバーの左右の端部以外からは外部に漏れないように構成し、前記ＬＥＤ発光体に電流を供給する電源とスイッチとをコンテナ主体内に配備してもよい。
【００４５】
あるいは前記ＬＥＤ発光体に供給する電流を、レールを介して外部のコントローラから直接供給を受けるように構成し、前記Ｔ字状の光ファイバーの左右の端部をコンテナ主体に形成した透光用孔に近接させて配置することによっても、前記透光用孔からＬＥＤ発光体の光を外部に照射させることができる。
【産業上の利用可能性】
【００４６】
この発明にかかる鉄道模型用コンテナは、コンテナ主体内の切妻に近接してＬＥＤ発光体を配置し、その光を切妻の左右側面の上部に設けた透光用孔からのみ照射させるように構成して、冷蔵冷凍用の発電装置が実際に作動しているように見せることで、実際には存在しない鉄道輸送用コンテナにはない付加価値を与えているので、冷蔵冷凍用の発電装置を具備した陸上輸送用コンテナを模した陸上車両用模型に適用することもでき、広く走行用玩具に大きな付加価値を与えることができる。
【符号の説明】
【００４７】
１        コンテナ主体
１ａ      模様
２        透光用孔
３        ガイド溝
５        発光機構
６        プリント基板
７        ＬＥＤ発光体
８        ボタン電池
９        スイッチ
１０      ケース本体
１０ａ    係止片
１０ｂ    ガイド板
１１      蓋体
１１ａ    ヒンジ
１１ｂ    フック部
１１ｃ    持上げ片
１２      接続用のコード